(57)【要約】【課題】ベルト本体を落下させずに保持可能な落下防止部付き腰痛ベルトを提供する。【解決手段】腰部に巻き付ける帯状のベルト本体と、ベルト本体を上記巻き付けた着用状態に保つために、ベルト本体の適所に備えた止着部分とを有する腰痛ベルトについて、着用を解いた状態において、ベルト本体１１が腰部から落下しないように保持するために、使用者の身体に装着する、保持部材２５をベルト本体１１の内側に取り付けて構成する。【選択図】          図１
2011036553.tif 000002
【特許請求の範囲】
【請求項１】
腰部に巻き付ける帯状のベルト本体と、ベルト本体を上記巻き付けた着用状態に保つために、ベルト本体の適所に備えた止着部分とを有する腰痛ベルトであって、
着用を解いた状態において、ベルト本体が腰部から落下しないように保持するために、使用者の身体に装着する、保持部材をベルト本体の内側に取り付けて成る
落下防止部付き腰痛ベルト。
【請求項２】
保持部材は、ベルト本体の長さを超えない程度の長さと、ベルト本体よりも狭い幅とを有する帯状に形成されており、かつ、保持部材を使用者の身体に巻き付けて止めるために、巻き止め部分を保持部材の適所に備えている請求項１記載の落下防止部付き腰痛ベルト。
【請求項３】
保持部材は、使用者の身体に着用する筒状の腹巻き型のものであり、上記腹巻き型の保持部材はその一部においてベルト本体の内側に取り付けられている請求項１記載の落下防止部付き腰痛ベルト。
【発明の詳細な説明】
【技術分野】
【０００１】
本発明は、落下防止部付きの腰痛ベルトに関するものである。
【背景技術】
【０００２】
この種の装具は腰部に巻き付ける帯状のベルト本体と、ベルト本体を上記巻き付けた着用状態に保つために、ベルト本体の適所に備えた止着部分とを有し、コルセット或いは腰痛ベルトなどと呼ばれている。従来の腰痛ベルトは、ベルト本体を腰部に巻き付けてから止着部分を止め着け、腰部を包む状態に固定して使用するものであり、止着部分を外すことはベルト本体を腰部から外すことを意味する。従って、一旦止着部分を外した後では、ベルト本体は何時でも着用者の身体から落下し得る状態になるが、このような構造は、身体的ハンディのある使用者にとって、かなりの負担でもある。
【０００３】
例えば、腰痛ベルトには、腰部を固定するという目的から強力な弾力性を有する部分があり、着用するにも取り外すにもその強力な弾力性に対抗する力で引き伸ばさなければならない。この着用作業は通常の体力を有する者であればともかく、高齢者又は障害者若しくは重度の腰痛患者、体力のない女性その他身体的ハンディのある使用者にとっては非常に困難であり、正しい位置に装着することすらままならず、ときには手を離して落下させることもあるから、条件によっては何回も同じ失敗を繰り返すこともある。ましてやその場所が野外であったり、用便中であったりした場合には、ベルト本体を汚してしまうことも多く、最悪のケースでは使用不可に至ることもある。
【０００４】
これに対して、特開平８−８９５２０号の発明では、ずり上がり防止とゆるめたときの落下防止を図った腰痛保護帯を開示しており、落下防止手段として腰ベルト本体の腰背部における裏側の一部にベルト通し部を設けるという対策を講じている。同発明ではベルト通し部を、着用したズボンのベルトに通して使用すると説明しているので、ベルトレスのズボンやスカートでは使用することができないことになる。また、着用したズボンのベルトに通し部を通すためには、ズボン及びベルトの外側から腰痛保護帯を取り付けることになるが、それではズボン等の内側に腰痛保護帯を着用できないことになり、使用方法として疑問も残る。
【０００５】
【特許文献１】特開平８−８９５２０号
【発明の開示】
【発明が解決しようとする課題】
【０００６】
本発明は前記の点に着目してなされたもので、その課題は、ベルト本体が落下しないように保持可能な落下防止部付き腰痛ベルトを提供することである。また、本発明の他の課題は、身体的ハンディのある使用者にあっても、人手を借りることなく正しい位置に装着することができる落下防止部付き腰痛ベルトを提供することである。
【課題を解決するための手段】
【０００７】
前記の課題を解決するため、本発明は、腰部に巻き付ける帯状のベルト本体と、ベルト本体を上記巻き付けた着用状態に保つために、ベルト本体の適所に備えた止着部分とを有する腰痛ベルトとして、着用を解いた状態において、ベルト本体が腰部から落下しないように保持するために、使用者の身体に装着する、保持部材をベルト本体の内側に取り付けた構成とするという手段を講じたものである。
【０００８】
本発明は、腰部に巻き付ける帯状のベルト本体と、ベルト本体を上記巻き付けた着用状態に保つために、ベルト本体の適所に備えた止着部分とを有する腰痛ベルトを対象とするものである。ベルト本体は腰部を一巻き以上できる長さを有しており、かつ、少なくとも一部に、前述した強力な弾力性を有する部分及びその弾力性を腰部に伝える高強度の構造部分があり、上記弾力性に基づく緊締力で腰部を固定する。ベルト本体は、さらにその外側に補強ベルトを有するものもあるが、本発明においてもその型の腰痛ベルトを使用することができる。
【０００９】
本発明は、上記の腰痛ベルトにおいて、着用を解いた状態において、ベルト本体が腰部から落下しないように保持するために、使用者の身体に装着する、保持部材をベルト本体の内側に取り付けて成るものである。即ち、本発明は外したベルト本体が腰部から落下しないように保持部材を有していること、保持部材を使用者の身体に装着すること、保持部材はベルト本体の内側に取り付けていることを特徴とする。保持部材を使用者の身体に装着とは、素肌又は下着を介して身体にほぼ直に装着する趣旨である。そして、ベルト本体の内側に取り付けるという構成によって、保持部材は例えばズボンやスカートなどの内側に着用できることが明らかである。なお、必要があればズボンやスカートなどの外側にも着用可能である。
【００１０】
一般的に、腰痛ベルトは肌への負担を考慮して下着の上から装着することが求められているが、上記ベルト本体の内側に保持部材が位置する構成は上記の要求に合致することになる。しかし、下着のさらに内側つまり肌へ直に保持部材を配置することも可能であり、これら二つの例は本発明に関する実施形態において説明する。
【００１１】
上記二つの例内の一つの例において、保持部材は、ベルト本体の長さを超えない程度の長さと、ベルト本体よりも狭い幅とを有する帯状に形成されており、かつ、保持部材を使用者の身体に巻き付けて止めるために、巻き止め部分を保持部材の適所に備えている。この例１の保持部材は、ベルト本体と同様に腰部に巻き付けて着用することができるとともに、ベルト本体と比較すれば相対的に弱い弾力性を有しているので、身体に簡単に取り付け、また、取り外すことができ操作性が良い。
【００１２】
上記の例のもう一つの例において、保持部材は、使用者の身体に着用する筒状の腹巻き型のものであり、上記腹巻き型の保持部材はその一部においてベルト本体の内側に取り付けられている。この例２の場合は筒状の腹巻き型であるから、頭から被るか或いは足先から穿くようにして着用する必要があるが、素肌保護のために下着を着る必要がなくなるとともに、保温効果を得ることができる。また、下着が不要となるので、下着とともに腰痛ベルトがずれてしまうという事態を心配する必要がなくなり、より安定な腰部の固定が実現する。
【００１３】
このように本発明によれば、まず、保持部材を使用者の身体に装着してからベルト本体の着用に取り掛かれば良いので、ベルト本体を押え続けなければならない制約から解放される利点が得られる。そのため、ベルト本体を身体に巻き付ける作業に全力をそそぐことができ、前述したような身体的ハンディのある使用者であっても、持てる身体能力を最大限発揮させることができる。
【発明の効果】
【００１４】
本発明は以上のように構成されかつ作用するものであるから、ベルト本体が落下しないように保持可能な保持部材を用いて、ベルト本体を着用することができるので、着用にかかる負担が著しく軽減され、着脱の煩わしさから解放されるとともに、例えば、トイレ使用時にはベルト本体を完全に身体から取り外さなくても用便が可能になるという効果を奏する。また、本発明によれば、身体的ハンディのある使用者にあっても、人手を借りることなく正しい位置に装着することができ、かつまた、ベルト本体が下着とともにずれてしまうこともなく、実用性の高い落下防止部付き腰痛ベルトを提供することができる。
【発明を実施するための最良の形態】
【００１５】
以下図示の実施形態を参照して本発明をより詳細に説明する。図１は、本発明の例１の落下防止部付き腰痛ベルト１０に関するもので、腰部に巻き付ける帯状のベルト本体１１と、ベルト本体１１を腰部に巻き付けた着用状態に保つために、ベルト本体１１の一端部の内側に設けた雄側止着部１２と、ベルト本体１１の他端部の外側に或る程度の調節範囲となる長さに亘って設けた雌側止着部１３とを備えた着脱可能な止着部分１４とを有している（図３Ａ参照）。
【００１６】
ベルト本体１１は、腰部を例えば１．５巻き余りできる長さを有し、中央部１５はやや幅広に形成されており、中央部１５の長さ方向における左右は、ベルト本体中央からほぼ等距離の位置に配置した帯幅方向の左右の縦枠１５Ｌ、１５Ｒによって区画されている。左右の縦枠１５Ｌ、１５Ｒよりも内側にはさや状の内部構造を有し、その中に金属片又は樹脂片から成る剛性の補強部材１６を挿入できるように左右補強部１６Ｌ、１６Ｒが形成されている。このように構成されているベルト本体中央部１５は高強度の構造部分を構成しており中央部１５にはメッシュ構造を有する高強度の布材を張ることによって通気性を確保している。
【００１７】
上記左右の縦枠１５Ｌ、１５Ｒの外側には、強力な弾力性を有する伸縮可能部分（以下弾力性部分という）１７Ｌ、１７Ｒが夫々配置されている。弾力性部分１７Ｌ、１７Ｒは弾力性に基づく緊締力で腰部を固定するために、ベルト本体長さ方向に伸縮可能な弾力性布材を張設して形成されており、布材の弾力性による緊締力は、上記中央部１５と後述する止着部分１４を介して腰部に伝えられる。
【００１８】
上記弾力性部分１７Ｌ、１７Ｒの外側にはメッシュ材で形成された左右重なり端部１８Ｌ、１８Ｒが配置されており、その重なり端部１８Ｌ、１８Ｒにおける一端部の内側と他端部の外側に前記の止着部分１４が設けられているものである。止着部分１４は、フック１４ａを有する布地とループ１４ｂを有する布地から成り、フック１４ａをループ１４ｂに押し付けて結合させる、着脱可能な面ファスナー類を使用することができる。
【００１９】
上記左右弾力性部分１７Ｌ、１７Ｒと重なり端部１８Ｌ、１８Ｒの境にも、夫々の領域を区画する外部縦枠１９Ｌ、１９Ｒが設けられて。そして、ベルト本体１１の外周はトリム２０が取り囲んでいる。従って、ベルト本体１１の長手方向にほぼ沿うトリム２０に対して、縦枠１５Ｌ、１５Ｒ〜外部縦枠１９Ｌ、１９Ｒを交叉方向に配置して強度を得る構造になっている。さらにベルト本体１１の外側には、素材の弾力性に基づいて緊締力を調節する伸縮可能な調節ベルト２１がその長さ方向の中央にて枠状の縦取り付け部２２を用いてベルト本体の中央部に取り付けられており、調節ベルト２１は、左右両端部の内側に設けた雄側止着部２３と、ベルト本体１１の外側に設けた或る程度の調節範囲を与える長さの雌側止着部２４とから成る面ファスナーよって着脱可能に設けられている。
【００２０】
本発明では、上記の構成を有するベルト本体１１の着用を解いた状態において、ベルト本体１１が腰部から落下しないように保持するために、使用者の身体に装着する、保持部材２５をベルト本体１１の内側に取り付けている。例１の保持部材２５はベルト本体１１の長さを超えない程度の長さと、ベルト本体１１よりも狭い幅とを有する帯状を有している伸縮性布材から成り、保持部材２５自体を使用者の腰部に巻き付けて止めるために、巻き止め部分２６を適所に備えている。巻き止め部分２６は面ファスナーから成り、これまでの類似の着脱手段と同じように雄側止着部２７を保持部材２５の内側に設け、雌側止着部２８を保持部材２５の外側に設けて構成されている。
【００２１】
この例１の保持部材２５は、ベルト本体１１の内側にあって、事前に腰部に巻き付けて着用するための手段であり、本発明の腰痛ベルト１０を使用する際、最初に腰部に取り付け、最後に腰部から取り外すことになる部分である。２９は中央縦枠であり、ベルト本体１１の内側の中央部にて保持部材２５を取り付け部に取り付けた部分である。なお、本発明の腰痛ベルト１０は、ほとんど全てが布材から成るので、その製造は縫製を中心とする工程によって進められる。また、面ファスナーやホック等の着脱手段を保持部材２５の取り付けに使用した場合には、ベルト本体１１への着脱を何時でも行うことができる。さらには、現在使用中の腰痛ベルトに保持部材２５を取り付けることも可能になる。
【００２２】
例１の落下防止部付腰痛ベルト１０を着用するには、上記の保持部材２５を最も内側になるような配置とし、保持部材２５を腰部に任意の力で巻き付けるとともに、その端部の雄側止着部２７を雌側止着部２８に押し付けて止め、ベルト本体１１が腰部から落下しないように保持された状態とする。保持部材２５はベルト本体１１と比較すれば相対的に弱い弾力性を有しているので、身体的ハンディを負う弱者でも無理なく着脱が可能であり、保持部材２５を腰部に取り付ければ、ベルト本体１１が落下する恐れはないので使用者は落ち着いてベルト本体１１の装着に専念することができる。
【００２３】
従って、非力の者でも持てる力を１００パーセント発揮する条件が整うので、使用者はベルト本体１１の中央部１５が腰椎に位置するように自分で位置を確認しながら、ベルト本体１１を腰部に巻き付け、適切な位置で雄側止着部１２を雌側止着部１３に押し付けることができる。そしてさらに、ベルト本体１１の上から調節ベルト２１を操作して締め付け具合を調節し、雄側止着部２３を雌側止着部２４に押し付けて最適の緊締力で要部を固定することができるものである。
【００２４】
上記着用状態において、ベルト本体１１を一旦外したい場合には、まず調節部材２１の雄側止着部２３を雌側止着部２４から剥がし、次いでベルト本体１１の雄側止着部１２を雌側止着部１３から剥がせば良く、この状態においてもベルト本体１１は保持部材２５に保持されているから、落下してしまうことがない。従って、トイレ使用時にはベルト本体１１を完全に身体から取り外さなくても用便が可能であり、取り落して汚してしまうというような問題も起こらない。
【００２５】
さらに、本発明に係る落下防止部付き腰痛ベルトの例２について次に説明する。例２の落下防止部付き腰痛ベルト３０は、例１と同様の構造のベルト本体３１を有しており、それを着用状態に保つ雄側止着部３２と雌側止着部３３からなる止着部分３４と、左右の縦枠３５Ｌ、３５Ｒ及びそれらの間の中央部３５、補強部材３６を挿入可能な左右の補強部縦枠３６Ｌ、３６Ｒ、伸縮可能部分３７Ｌ、３７Ｒ、外部縦枠３９Ｌ、３９Ｒの端方に位置する重なり端部３８Ｌ、３８Ｒを有する等、例１と同様の構成から成り、また、ベルト本体３１の外周をトリム４０が囲んでいる。なお、ベルト本体３１の外面に調節ベルトによる緊締力調節機能を設けることもできるが、例２では省略している。
【００２６】
従って、例２のものも例１の腰痛ベルトと全く同様に使用することができるが、例２における保持部材４５は、使用者の身体に着用する筒状の腹巻き型のものであることを特徴とする。上記腹巻き型の保持部材４５は使用時に背面側に位置することになる一部においてベルト本体３１の内側に縫製によって取り付けられている。腹巻き型である例２の保持部材４５は、例１のものと異なりベルト本体３１の幅よりも十分幅広に形成されており、かつまた十分な伸縮性を有する柔軟な布材から成るものである。
【００２７】
例２の落下防止部付腰痛ベルト３０を着用するには、上記の保持部材４５を、頭から被るか、或いは足から穿くかして腰部に着用すれば、ベルト本体３１が腰部から落下しないように保持された状態となる。保持部材４５は腹巻き型であり、ベルト本体３１と比較して相対的に弱い弾力性を有しているので、身体的ハンディを負う弱者でも無理なく着脱可能であり、一端腰部に取り付ければ、ベルト本体３１が落下する恐れはないので使用者は例１の場合と同様に落ち着いてベルト本体３１の装着に専念することができる。
【００２８】
着用状態においては、保持部材４５が腹巻き型であり十分大きいので緩めでも安定しており、かつまた、実際に腹巻きの役割も果たすので保温効果が良く、腰痛防止にも好都合である。着用状態において、ベルト本体３１を一旦外したい場合には、ベルト本体３１の雄側止着部３２を雌側止着部３３から剥がせば良く、この状態においてもベルト本体３１は保持部材４５に保持されており、保持部材４５は腰に装着されているから、ベルト本体３１が落下してしまうこともない。
【００２９】
このように本発明の腰痛ベルト１０、３０は、開閉可能なベルト状の保持部材２５或いは腹巻きを兼ねる筒状の保持部材４５によって常時使用者の腰に保持された状態にあり、保持部材２５、４５を使用者の腰部に着用する方法は容易であり、かつ、特に力や慣れを必要としないので、衣服を脱ぎ着できる者であれば誰にでもなし得る。よって、ベルト本体１１、３１を適切に着用できるようになり、まず、腰痛ベルトとして使用する上での問題を解消することができるとともに、その上で使用中にベルト本体１１、３１の止着部分を外しても落下させることがないから、腰痛ベルト１０、３０の使用者を用便や着替えその他の日常生活における不便から救うこととなる。
【図面の簡単な説明】
【００３０】
【図１】本発明に係る落下防止部付き腰痛ベルトの例１を示す説明図であって、Ａは正面（内面）図、Ｂは背面（外面）図である。
【図２】同上の一部を拡大した正面図である。
【図３】同上の使用状態を示すもので、Ａは着用中の正面説明図、Ｂは着用後ベルト本体を外した状態の正面説明図である。
【図４】同じく本発明の腰痛ベルトの例２を示す説明図であって、Ａは正面（内面）図、Ｂは背面（外面）図である。
【図５】同上の一部を拡大した正面図である。
【図６】同上の使用状態を示すもので、Ａは着用前の正面説明図、Ｂは着用後ベルト本体を外した状態の正面説明図である。
【符号の説明】
【００３１】
１０、３０  腰痛ベルト
１１、３１  ベルト本体
１２、３２  雄側止着部
１３、３３  雌側止着部
１４、３４  止着部分
１５、３５  中央部
１５Ｌ、１５Ｒ、３５Ｌ、３５Ｒ  左右の縦枠
１６、３６  補強部材  
１７Ｌ、１７Ｒ、３７Ｌ、３７Ｒ  伸縮可能部分
１８Ｌ、１８Ｒ、３８Ｌ、３８Ｒ  重なり端部
１９Ｌ、１９Ｒ、３９Ｌ、３９Ｒ  外部縦枠
２０、４０  トリム
２１  調節ベルト
２２  縦取り付け部  
２３、２７  雄側止着部
２４、２８  雌側止着部
２５、４５  保持部材
２６  巻き止め部分
２９  中央縦枠
【図１】
2011036553.tif 000003
【図２】
2011036553.tif 000004
【図３】
2011036553.tif 000005
【図４】
2011036553.tif 000006
【図５】
2011036553.tif 000007
【図６】
2011036553.tif 000008